(57)【要約】【課題】  受信した放送信号のうち、映像の切り替わり点をトリガにして同一の重複する映像信号を音声情報により検出し、ＣＭ部分の編集作業を自動で行える録画装置を提供する。【解決手段】  放送信号の映像、音声信号を抽出する放送信号受信手段１と、映像信号の複数の映像フレームの種別の判別を行い、特定の映像フレーム間隔を計測しＣＭの開始及び終了点を検出する映像区切検出手段２と、音声信号の逆位相音声信号を生成する逆位相音声生成手段３と、種別が判別された映像フレームと対応する音声信号を格納する情報記憶手段４と、ＣＭの開始点が検出されると格納された映像フレームと音声信号の読み出しの停止信号を送信する制御手段８と、ＣＭの終了点が検出されると、逆位相音声信号とＣＭに入る前の音声信号を合成させ、映像重複を判定する重複映像検出手段５と、重複がある場合、重複映像以降の映像フレームと音声信号を記録する記録手段７とを備える。【選択図】  図１
2007082156.tif 000002
【特許請求の範囲】
【請求項１】
テレビジョン放送信号を受信し、前記テレビジョン放送信号に含まれる映像信号及び音声信号を抽出する放送信号受信手段と、
抽出された前記映像信号が表す映像情報を構成する複数の映像フレームのフレーム種別の判別を行い、特定の映像フレーム間の時間間隔を計測し、計測された前記特定の映像フレーム間の時間間隔に基づいて、前記テレビジョン放送信号のうちのコマーシャル区間の開始点及び終了点を検出する映像区切検出手段と、
抽出された前記音声信号の逆位相音声信号を生成する逆位相音声生成手段と、
前記フレーム種別が判別された映像フレームとその映像フレームに対応する前記音声信号とを関連付けて、前記特定の映像フレームごとに格納する情報記憶手段と、
前記映像区切検出手段によって前記コマーシャル区間の前記開始点が検出された場合に、前記情報記憶手段に格納された前記映像フレームとその映像フレームに対応する前記音声信号の読み出しの停止を指示する読み出し停止信号を送信する制御手段と、
前記映像区切検出手段によって前記コマーシャル区間の前記終了点が検出された場合に、前記逆位相音声生成手段によって生成された前記逆位相音声信号と、前記情報記憶手段に格納された前記コマーシャル区間に入る直前の前記音声信号とを、前記制御手段による制御信号に基づいて合成させ、合成された結果に基づいて映像の重複を判定する重複映像検出手段と、
前記コマーシャル区間の開始前における前記映像フレームとその映像フレームに対応する前記音声信号を前記情報記憶手段から読み出し、所定の記録媒体に記録し、前記コマーシャル区間の開始時に前記所定の記録媒体への記録を停止し、さらに、映像の重複が存在すると判定された場合に、前記重複した映像より後の映像フレーム及びその映像フレームに対応する音声信号を前記情報記憶手段から読み出し、前記所定の記録媒体に記録する記録手段とを、
備える録画装置。
【発明の詳細な説明】
【技術分野】
【０００１】
本発明は、テレビジョン放送信号を受信して、受信したテレビジョン放送信号を記録する録画装置に関する。
【背景技術】
【０００２】
近年、情報圧縮技術やコンピュータ技術の進展に伴い、映像情報や音声情報を含んだ様々な情報をデジタル化して処理することが一般的である。このようなデジタル技術の発展により、公共放送や民間放送などの放送メディアの分野においてもＭＰＥＧ（Moving Picture Experts Group）規格に代表される情報圧縮技術を利用したデジタル放送が実施されつつある。また、ＶＴＲを含む記録再生装置では、放送メディアから番組を受信して記録媒体に記録し再生するだけではなく、受信した番組のうちコマーシャルメッセージの部分（以下、ＣＭ部分とも言う）を除いた主番組（ユーザが視聴を望む番組）の映像や音声だけを再生する機能を備えたものが開発、実用化されている。
【０００３】
このような記録再生装置には、受信した番組のＣＭ部分を検出して、記録時に検出したＣＭ部分を自動的に除いて記録する、あるいは再生時に検出したＣＭ部分を跳び越して主番組のみを再生する機能が搭載されている。アナログ放送に対応した従来の記録再生装置には、例えば下記の特許文献１に開示されているように、ＮＴＳＣ（National Television System Committee）方式やＰＡＬ（Phase Alternating Line）方式などのテレビジョン信号での輝度、色分散、ＶＰＳ（Video Program System）情報などのアナログ映像信号の特徴を用いることによってＣＭ部分の検出を行うものが知られている。
【０００４】
また、下記の特許文献２に開示された従来の（映像）記録再生装置では、音声信号の無音部分を検出してＣＭ部分を検出する方法と、主番組及びＣＭ部分が一般的にそれぞれモノラル方式及びステレオ方式の音声信号で構成されていることを利用してそれらの音声信号の方式の差異を検出することによってＣＭ部分を検出する方法が提案されている。また、下記の特許文献３に開示された映像処理装置では、放送メディアからの番組に対して、フレーム単位でカット情報を収集し、放送内容のカット割り（シーンとも言う）を検出し、かつＣＭ部分のカット割りの短さに着目し、ＣＭ部分の検出を行っている。そして、下記の特許文献４に開示された記録再生装置では、放送メディアからの番組に対して、フレーム単位で画像の同一性の検出を行い、同一フレームの検出により、ＣＭ部分だけでＣＭ部分の前後の主番組の同一映像部分の検出を行っている。
【特許文献１】特開平８−２８９２４４号公報（段落００２５、００２８）
【特許文献２】特開平８−３１７３４２号公報（要約、段落０００８）
【特許文献３】特許第３５５８８８６号公報（段落００１１）
【特許文献４】特許第３５９０２７５号公報（段落００１３）
【発明の開示】
【発明が解決しようとする課題】
【０００５】
しかしながら、特許文献１〜４に開示された記録再生装置などは、既存のアナログ放送に対応したものであり、デジタル放送に対応したものではなかった。このため、従来の記録再生装置などでは、既知のＤ／Ａ変換器などを接続することにより、デジタル放送のテレビジョン放送信号を受信して記録再生が可能なように構成したとしても、映像信号の各フレームが高画質であるデジタル放送の優れた特徴を十分に生かすことができなかった。さらに、従来の記録再生装置などでは、アナログ映像信号での輝度などのレベル変化の時点を調べてＣＭ部分を検出するように構成したものであった。このため、記録した映像信号に重複する同一のシーンの含まれる番組、すなわち放送メディアが最近実施している番組に対応できないという問題があった。
【０００６】
具体的には、放送メディアでは、主番組の再開時に視聴者の記憶を呼び起こすために、ＣＭ部分になる前に放送した主番組の一部分をＣＭ部分が終了した後に主番組の冒頭から数秒から数１０秒にわたって再度放送することがある。このような番組を受信したときには、ＣＭ部分と主番組部分とでは、１シーンのカット割りの長さが異なる点を利用してＣＭ部分の検出を行っているが、ＣＭ部分の前後の同一シーンの編集（重複するシーンの一方のシーンを記録しないようにする編集）が必要となる。フレーム単位で同一映像の差分検出を行う方法では、常にＣＰＵやＤＳＰといったハードウェアリソースでの高度な演算を常時行わせる必要があり、映像による判定は高画質な映像になるほどその情報量が増加するため、短時間で検出を行うには高性能なハードウェアが必要となり、製品コストの上昇といった問題もあった。
【０００７】
本発明は、上記問題を解決するためのものであり、受信したテレビジョン放送信号のうち、映像の切り替わり点をトリガにして同一の重複する映像信号をシーン単位で音声情報を元に検出することができ、記録したテレビジョン放送信号のＣＭ部分の編集作業を自動で行うことができる録画装置を提供することを目的とする。
【課題を解決するための手段】
【０００８】
上記目的を達成するために、本発明によれば、テレビジョン放送信号を受信し、前記テレビジョン放送信号に含まれる映像信号及び音声信号を抽出する放送信号受信手段と、抽出された前記映像信号が表す映像情報を構成する複数の映像フレームのフレーム種別の判別を行い、特定の映像フレーム間の時間間隔を計測し、計測された前記特定の映像フレーム間の時間間隔に基づいて、前記テレビジョン放送信号のうちのコマーシャル区間の開始点及び終了点を検出する映像区切検出手段と、抽出された前記音声信号の逆位相音声信号を生成する逆位相音声生成手段と、前記フレーム種別が判別された映像フレームとその映像フレームに対応する前記音声信号とを関連付けて、前記特定の映像フレームごとに格納する情報記憶手段と、前記映像区切検出手段によって前記コマーシャル区間の前記開始点が検出された場合に、前記情報記憶手段に格納された前記映像フレームとその映像フレームに対応する前記音声信号の読み出しの停止を指示する読み出し停止信号を送信する制御手段と、前記映像区切検出手段によって前記コマーシャル区間の前記終了点が検出された場合に、前記逆位相音声生成手段によって生成された前記逆位相音声信号と、前記情報記憶手段に格納された前記コマーシャル区間に入る直前の前記音声信号とを、前記制御手段による制御信号に基づいて合成させ、合成された結果に基づいて映像の重複を判定する重複映像検出手段と、前記コマーシャル区間の開始前における前記映像フレームとその映像フレームに対応する前記音声信号を前記情報記憶手段から読み出し、所定の記録媒体に記録し、前記コマーシャル区間の開始時に前記所定の記録媒体への記録を停止し、さらに、映像の重複が存在すると判定された場合に、前記重複した映像より後の映像フレーム及びその映像フレームに対応する音声信号を前記情報記憶手段から読み出し、前記所定の記録媒体に記録する記録手段とを備える録画装置が提供される。ここで、テレビジョン放送信号は、デジタル放送信号やアナログ放送信号を含む。また、録画装置は、記録のみをする装置に限られるものではなく、自身で記録した情報を再生することもできる録画再生装置であってもよい。
【発明の効果】
【０００９】
本発明の録画装置は、上記構成を有し、受信したテレビジョン放送信号のうち、映像の切り替わり点をトリガにして同一の重複する映像信号をシーン単位で音声情報を元に検出することができ、記録したテレビジョン放送信号のＣＭ部分の編集作業を自動で行うことができる。
【発明を実施するための最良の形態】
【００１０】
以下、本発明の実施の形態について図１から図４Ｂを用いて説明する。図１は本発明の実施の形態に係る録画装置の構成を示す構成図である。図２は本発明の実施の形態に係る録画装置における参照フレーム群テーブル及びフレーム群記憶領域を示す図である。図３Ａは本発明の実施の形態に係る録画装置における各ＧＯＰにおけるピクチャ間時間を示す図（ＣＭ区間開始と判定しない場合）である。図３Ｂは本発明の実施の形態に係る録画装置における各ＧＯＰにおけるピクチャ間時間を示す図（ＣＭ区間開始と判定する場合）である。図４Ａは本発明の実施の形態に係る録画装置における各ＧＯＰにおけるピクチャ間時間を示す図（ＣＭ区間終了と判定しない場合）である。図４Ｂは本発明の実施の形態に係る録画装置における各ＧＯＰにおけるピクチャ間時間を示す図（ＣＭ区間終了と判定する場合）である。
【００１１】
まず、本発明の実施の形態の概要を説明する。通常、放送メディアからの番組をＭＰＥＧ方式で受信するが、シーンの変化が大きいときにはＩピクチャフレームが生成される。つまり、放送プログラムの映像シーンが変化したときにもＩピクチャフレームが生成される。なお、ＭＰＥＧ方式には３つのピクチャタイプがあり、それはＩピクチャ、Ｐピクチャ、Ｂピクチャである。Ｉピクチャはすべての画面情報を有しているものであり、Ｐピクチャは前の画面との差分情報だけを有しているものであり、ＢピクチャはＩ及びＰピクチャから補完されて作られたものである。なお、詳細については公知の技術であるため説明は省略する。
【００１２】
特に、コマーシャル（以下、ＣＭとも言う）などは、通常の放送プログラムに比べ、短時間でのシーン変化が発生するため、Ｉピクチャフレームの発生間隔が短い。そこで、本発明の実施の形態では、ＭＰＥＧ方式のフレーム生成の機能を利用し、ＣＭ開始地点の検出を行う。次に、Ｉピクチャフレームの検出間隔が長くなったときにＣＭ終了を判定する。そして、そのＣＭ終了直後の映像フレームのまとまりと、ＣＭ開始直前の映像フレームのまとまりとの重複映像の判定を音声情報（音声信号）をキーとして行い、判定する。そして、重複映像フレーム群やＣＭ部分のＧＯＰ（Group Of Picture：Ｉピクチャを1つ以上含み、それに続くＰピクチャ、Ｂピクチャを一まとめにグループ化したもの）単位での編集をユーザを介さず、かつリアルタイムに行う。また、記録媒体への記録時に再多重化を行って記録する。
【００１３】
次に、本発明の実施の形態に係る録画装置について図１を用いて説明する。なお、以下では、受信する放送信号が特にデジタル放送信号である場合について説明する。また、以下での録画装置（以下、録画再生装置とも言う）は、上述したように記録するのみの装置ではなく、自身で記録した情報（番組）を再生することもできる装置であるという前提で説明をしていく。図１に示すように、録画再生装置は、デジタル放送信号受信部（上述の放送信号受信手段に相当）１、映像区切検出部（上述の映像区切検出手段に相当）２、逆位相音声生成部（上述の逆位相音声生成手段に相当）３、情報記憶部（上述の情報記憶手段に相当）４、重複映像検出部（上述の重複映像検出手段に相当）５、記録再生制御部６、記録再生部７（上述の記録手段に相当）、ＣＰＵ（上述の制御手段に相当）８、記録媒体９から構成されている。
【００１４】
デジタル放送信号受信部１は、外部（放送メディア）からデジタル放送信号１００を受信し、デジタル放送信号１００からデジタル映像情報（デジタル映像信号）１０１と音声情報（音声信号）１０２を抽出し、出力するものである。具体的には、デジタル放送信号受信部１は、デジタル放送チューナなどにより構成され、デジタル放送信号１００を受信する。そして、デジタル放送信号受信部１は、抽出したデジタル映像情報１０１を映像区切検出部２に出力し、抽出した音声情報１０２を逆位相音声生成部３に出力する。詳細に言えば、デジタル放送信号受信部１は、ＭＰＥＧ２規格に規定されたエレメンタリービデオストリームをデジタル映像情報１０１と音声情報１０２とに分離し、フレーム単位で出力する。また、デジタル放送信号受信部１は、時間情報としてＰＴＳ（Presentation Time Stamp）データ信号（時間情報）１１６も出力する。
【００１５】
映像区切検出部２は、デジタル放送信号受信部１から出力されたデジタル映像情報１０１が表す映像情報を構成する複数の映像フレームのフレーム種別の判別を行い、特定の映像フレーム（Ｉピクチャフレーム）の時間間隔を計測し、計測された特定の映像フレーム間の時間間隔に基づいて、ＣＭ区間の開始点及び終了点を検出するものである。また、映像区切検出部２は、デジタル放送信号受信部１から出力されたデジタル映像情報１０１の映像フレーム１０３を情報記憶部４に格納するものである。
【００１６】
逆位相音声生成部３は、デジタル放送信号受信部１から出力された音声情報１０２を、映像フレーム１０３ごとに対応する音声フレーム情報１０４として情報記憶部４に格納するほか、音声情報１０２の逆位相音声情報を生成するものである。情報記憶部４は、映像区切検出部２から出力される映像フレーム１０３と、逆位相音声生成部３から出力される音声フレーム情報１０４とを同期をとった状態で、特定の映像フレーム（Ｉピクチャフレーム）ごとにフレーム群として、後述する図２のフレーム群記憶領域２０１のように記憶し、フレーム群管理テーブルメモリとして例えばＣＭ開始検出用とＣＭ終了検出用の２つを記憶する。
【００１７】
重複映像検出部５は、映像区切検出部２によるＣＭ終了検出判定通知をＣＰＵ８を介して受信すると、情報記憶部４に格納されている指示されたフレーム群の音声フレーム情報と逆位相音声生成部３によって生成された逆位相音声情報とから重複映像の判定を行うものである。記録再生制御部６は、ＣＰＵ８からの制御信号に基づいて、情報記憶部４に記憶された情報の記録・再生の動作の指示を記録再生部７に行うものである。記録再生部７は、記録再生制御部６からの指示に基づいて、記録媒体９への情報の記録、読み出しを行うものである。なお、記録媒体９は、ＤＶＤ（Digital Versatile Disk）規格に準拠した−Ｒ（Recordable）、−ＲＷ（ReWritable）、などの光ディスク、あるいは本発明の実施の形態の録画再生装置に内蔵されたハードディスク装置などである。ただし、記録媒体９は、本発明の実施の形態の録画再生装置に内蔵されていることに限られるものではなく、本発明の実施の形態の録画再生装置に接続可能な外付けのものであってもよい。
【００１８】
次に、本発明の実施の形態に係る録画再生装置におけるＣＭ検出時の動作について説明する。映像区切検出部２は、デジタル映像情報１０１の映像フレームを受け取るたびに、フレーム種別の判別を行い、ＭＰＥＧ規格で規定されたＩ、Ｐ、Ｂピクチャフレームのうち、情報量の最も多いＩピクチャフレームの判別を行う。情報記憶部４は、図２に示すようなフレーム群管理テーブル（参照フレーム群テーブル２００、１つ目のフレーム群記憶領域２０１からｎ番目のフレーム群記憶領域２０２まで）を２つ（ＣＭ開始検出用とＣＭ終了検出用）有しており、例えば最大３分間のフレーム数に相当する５４００フレーム分のデジタル映像フレーム１０３及び音声フレーム情報１０４を記憶することができる。
【００１９】
参照フレーム群テーブル２００は、例えばリングバッファ方式、すなわち最終アドレスの次のアドレスを先頭アドレスとしてデータを管理、記憶することでメモリ使用量の削減を可能としている。判別の結果、Ｉピクチャフレームならば、映像区切検出部２は、情報記憶部４からＣＭ開始検出用の参照フレーム群テーブルの下のフレーム群記憶領域の記憶領域を取得し、その記憶領域に該当する映像フレームを記憶する。一方、Ｉピクチャフレーム以外（Ｂ、Ｐピクチャフレーム）ならば、映像区切検出部２により、取得済みのフレーム群記憶領域の記憶領域に該当する映像フレームが記憶される。そして、次のフレーム種別の判別で他の映像フレームがＩピクチャフレームと判別されると、ＣＭ開始検出用の参照フレーム群テーブルの次のポインタへ移動し、該当するフレーム群記憶領域の記憶領域を取得し、その記憶領域に同様に該当する映像フレームを記憶する。このとき、デジタル放送信号受信部１によって出力される時間情報１１６も、同様にして該当するフレーム群記憶領域の記憶領域に記憶される。これにより、映像フレームの情報、音声フレーム情報、時間情報は関連付けられて格納される。
【００２０】
逆位相音声生成部３は、上述したように、映像フレームに対応する音声フレーム情報１０４を情報記憶部４の該当するフレーム群記憶領域の記憶領域に同期した情報として格納する。また、映像区切検出部２は、Ｉピクチャフレーム間の時間間隔の測定を行うとともに、Ｉピクチャフレームから始まる他のピクチャフレームのフレーム群の時間計測を行う。例えば、映像区切検出部２がＩピクチャフレームを受けてからＩピクチャフレーム以外のピクチャフレームを受けるまでの間の時間を計測する。なお、フレーム群は、図２のフレーム群記憶領域２０１、２０２に示すように、Ｉピクチャフレームを先頭に任意の数のＢピクチャフレーム及びＰピクチャフレームから構成されている。
【００２１】
映像区切検出部２は、Ｉピクチャフレームから始まるフレーム群（図２に示すフレーム群記憶領域２０１、２０２）に対して、計測した時間間隔の結果を情報記憶部４の該当する記憶領域（図２に示すフレーム群記憶領域２０１、２０２の“ピクチャ間時間”）に格納する。そして、映像区切検出部２は、Ｉピクチャフレームから始まるフレーム群に対して、それぞれ計測された時間間隔に基づいてＣＭが開始されたか否かを判定する。なお、ここではＣＭが開始されたか否かを判定する際、以下に示すように４つのフレーム群を用いて判定が行われているがフレーム群の数は４つに限られるものではない。
【００２２】
映像区切検出部２は、４つのフレーム群のそれぞれからピクチャ間時間をフレーム群の先頭（先に記憶されたフレーム群）から取得する。具体的には、映像区切検出部２は、図２で示す参照フレーム群テーブル２００のＩ１ポインタの指し示すフレーム群記憶領域２０１のピクチャ間時間（ここでは、Ｔ１とする）を取得し、同様に他の３つのフレーム群記憶領域からそれぞれのピクチャ間時間（ここでは、それぞれＴ２、Ｔ３、Ｔ４とする）を取得する。そして、Ｔ１〜Ｔ４が図３Ｂに示すような「Ｔ１＞Ｔ２かつＴ１＞Ｔ３かつＴ１＞Ｔ４」の条件を満たす場合に、映像区切検出部２はＣＭ区間開始と判定する。
【００２３】
映像区切検出部２は、ＣＭ区間開始と判定すると、ＣＰＵ８に対してＣＭ検出フラグを立てた信号を送信する。そして、ＣＰＵ８は、参照フレーム群テーブル２００のリングバッファをＣＭ終了検出用へ変更するように変更通知を情報記憶部４に送信する。また、ＣＰＵ８は記録再生制御部６へ記録の一時停止を求める信号を送信する。その信号を受けた記録再生制御部６は、記録再生部７に対して記録の一時停止の制御信号を送信する。その制御信号を受けた記録再生部７は、情報記憶部４からの情報（映像フレーム１０３や音声フレーム情報１０４など）の読み出し及び記録媒体９への記録を停止する。
【００２４】
また、ＣＰＵ８は、逆位相音声生成部３に対して、入力された音声情報１０２からリアルタイムに逆位相音声情報を生成するよう生成開始の信号を送信する。逆位相音声生成部３は、生成開始の通知を受けると、加算するのみで音声マッチングが行える構造の逆位相音声情報を生成する。
【００２５】
なお、Ｔ１〜Ｔ４が上述した条件（「Ｔ１＞Ｔ２かつＴ１＞Ｔ３かつＴ１＞Ｔ４」）を満たさない場合（図３Ａに示すような場合）にはＣＭ区間開始が未検出、すなわち放送プログラム（主番組）中のシーンということになる。この場合には、映像区切検出部２からＣＰＵ８に対して、上述したＣＭ検出フラグを立てた信号は送信されない。この場合、映像区切検出部２は、参照フレーム群テーブル２００のＩ２ポインタの指し示すフレーム群記憶領域のピクチャ間時間Ｔ２を読み出し、同様にＩ３ポインタ〜Ｉ５ポインタの指し示すフレーム群記憶領域のピクチャ間時間(Ｔ３〜Ｔ５)を読み出し、上述した同様の処理でＣＭ区間開始の判定を行う。
【００２６】
ここで、上述したフレーム群記憶領域について図２を用いて説明する。フレーム群記憶領域２０１、２０２は、参照フレーム群テーブル２００のポインタの参照先のＧＯＰ単位のデータ記憶領域であり、映像フレームの情報、音声フレーム情報、時間情報を関連付けて格納している。以下では、フレーム群記憶領域２０１を例にとって説明する。ピクチャ間時間は１つのＧＯＰの時間を示す。すなわち、Ｉピクチャフレームを先頭とし、複数のＢピクチャフレーム及び／又はＰピクチャフレームで構成された１つのグループにおける時間である。
【００２７】
Ｉ１用映像は、ＶＩＤＥＯ＿ＥＳ（Elementary Stream）のＩピクチャフレームのデータを格納する領域である。Ａｕｄｉｏ１は最初の音声フレーム情報のデータを格納する領域である。ＰＴＳ１はＩ１用映像とＡｕｄｉｏ１に付加された同じ時間情報を格納する領域である。Ｂ１用映像はＩ１用映像の次のＢピクチャフレームのデータを格納する領域である。Ａｕｄｉｏ２はＡｕｄｉｏ１の次のフレームにある音声フレーム情報のデータを格納する領域である。Ａｕｄｉｏ３はＡｕｄｉｏ２の次の音声フレーム情報のデータを格納する領域である。Ｐ１用映像はＰピクチャフレームのデータを格納する領域である。
【００２８】
Ｂｎ用映像はｎ番目のＢピクチャフレームのデータを格納する領域である。Ａｕｄｉｏ４はＡｕｄｉｏ３の次の音声フレーム情報のデータを格納する領域である。ＰＴＳ２はＢｎ用映像とＡｕｄｉｏ４に付加された同じ時間情報を格納する領域である。Ｂｎ＋１用映像はｎ＋１番目のＢピクチャフレームのデータを格納する領域である。Ｐ２用映像は本ＧＯＰ内で２番目のＰピクチャフレームのデータを格納する領域である。Ａｕｄｉｏ５はＡｕｄｉｏ４の次の音声フレーム情報のデータを格納する領域である。ＰＴＳ３はＰ２用映像とＡｕｄｉｏ５に付加された同じ時間情報を格納する領域である。なお、フレーム記憶領域２０２に関しても同様に考えられる。
【００２９】
次に、上述したように、ＣＭ開始の検出がされ、記録再生部７による記録媒体９への記録が停止された後の動作について説明する。映像区切検出部２は、上述したＣＭ区間開始の検出の際の処理と同様に、デジタル放送信号受信部１からのデジタル映像情報１０１の映像フレームを１つ受けるたびに、フレーム種別の判別を行う。Ｉピクチャフレームならば、映像区切検出部２は、情報記憶部４からＣＭ終了検出用の参照フレーム群テーブルの下のフレーム群記憶領域の記憶領域を取得し、その記憶領域に該当する映像フレームを記憶する。一方、Ｉピクチャフレーム以外（Ｂ、Ｐピクチャフレーム）ならば、映像区切検出部２により、取得済みのフレーム群記憶領域の記憶領域に該当する映像フレームが記憶される。そして、次のフレーム種別の判別で次の映像フレームがＩピクチャフレームと判別されると、ＣＭ終了検出用の参照フレーム群テーブルの次のポインタへ移動し、該当するフレーム群記憶領域の記憶領域を取得し、その記憶領域に同様に該当する映像フレームを記憶する。このとき、デジタル放送信号受信部１によって出力される時間情報１１６も、同様にして該当するフレーム群記憶領域の記憶領域に記憶される。これにより、映像フレームの情報、音声フレーム情報、時間情報は関連付けられて格納される。
【００３０】
また、映像区切検出部２は、Ｉピクチャフレームから始まるフレーム群（図２に示すフレーム群記憶領域２０１、２０２）に対して、計測した時間間隔の結果を情報記憶部４の該当する記憶領域（図２に示すフレーム群記憶領域２０１、２０２の“ピクチャ間時間”）に格納する。そして、映像区切検出部２は、情報記憶部４の参照フレーム群テーブルのＩｎ＋０ポインタの指し示すフレーム群記憶領域のピクチャ間時間（ここではＴｎ＋０）を取得し、同様に、参照フレーム群テーブルのＩｎ＋１からＩｎ＋３の指し示すフレーム群記憶領域のピクチャ間時間（Ｔｎ＋１〜Ｔｎ＋３）を取得する。各ＧＯＰにおけるピクチャ間時間を図４Ａ、図４Ｂに示す。映像区切検出部２は、Ｔｎ＋０、Ｔｎ＋１、Ｔｎ＋２、Ｔｎ＋３が「Ｔｎ＋０＜Ｔｎ＋３かつＴｎ＋１＜Ｔｎ＋３かつＴｎ＋２＜Ｔｎ＋３」の条件を満たす場合に、映像区切検出部２はＣＭ区間終了と判定する。この条件を満たさない場合には、判定に用いるフレーム群記憶領域を１つ移動させ、「Ｔｎ＋１＜Ｔｎ＋４かつＴｎ＋２＜Ｔｎ＋４かつＴｎ＋３＜Ｔｎ＋４」の条件を満たすか否かを判定する。このような条件が満たされるまで判定が行われる。
【００３１】
そして、映像区切検出部２は、ＣＭ区間終了を判定すると、ＣＭ区間終了を通知する信号をＣＰＵ８に送信する。ＣＰＵ８はＣＭ区間終了を通知する信号を受けると、重複映像検出部５へ重複映像の検出をさせるための信号を送信する。重複映像の検出をさせるための信号を受けた重複映像検出部５は、ＣＭに入る前に情報記憶部４に格納された音声フレーム情報と、逆位相音声生成部３が生成した逆位相音声情報とをそれぞれ読み出し、合成を行う。
【００３２】
そして、重複映像検出部５は、合成された値が一定レベル以下のときに同じ音声であると判断する。合成された値が一定レベル以下か一定レベルより大きいかに基づいて、重複映像検出部５は、ＣＰＵ８へ重複映像フレーム群検出の信号（重複映像の有無を知らせるための信号）を送信する。なお、重複映像検出部５は、重複映像の検出をする際、比較期間の周波数推移や音声レベルの同一性の判断も行う。そして、ＣＰＵ８は、既に映像区切検出部２から受けたＣＭ区間終了を通知する信号と、重複映像フレーム群検出の信号とに基づいて処理を行う。重複映像フレーム群検出の信号が重複映像有りを示す場合、図４Ｂにおいて、Ｔｎ＋１１の時間情報を有するフレーム群記憶領域の映像は、重複している映像であるため、記録再生部７が情報記憶部４から読み出す情報は、Ｔ（ｎ＋１１）＋１の時間情報を有するフレーム群記憶領域の映像フレームの情報、音声フレーム情報、時間情報となる。
【００３３】
一方、重複映像フレーム群検出の信号が重複映像無しを示す場合、記録再生部７が情報記憶部４から読み出す情報は、Ｔｎ＋３の時間情報を有するフレーム群記憶領域の映像フレームの情報、音声フレーム情報、時間情報となる。ＣＰＵ８は受けた信号が示す内容に基づいて、読み出すべき情報が記憶されたフレーム群記憶領域の切り替えのための信号を情報記憶部４に送信する。また、ＣＰＵ８は記録再開を通知する信号を記録再生制御部６に送信する。記録再開を通知する信号を受けた記録再生制御部６は、記録再生部７に記録を指示する信号を送信する。記録を指示する信号を受けた記録再生部７は、情報記憶部４の所定のフレーム群記憶領域から映像フレームの情報、音声フレーム情報、時間情報を読み出し、再多重化処理を行い、ＭＰＥＧ−ＰＳ（Program Stream）へ変換して記録媒体９に書き込む。
【００３４】
また、ＣＰＵ８は、情報記憶部４の参照フレーム群テーブル２００のリングバッファをＣＭ終了検出用からＣＭ開始検出用に切り替えるバッファ戻しのための信号を情報記憶部４に送信する。バッファ戻しのための信号により、情報格納部４におけるリングバッファはＣＭ開始検出用に切り替えられる。以上のような処理を繰り返して記録処理を行う。なお、図示はしていないが、ＣＭ開始、終了の検出処理及び重複映像部分の削除処理は、実行中であっても解除することが可能である。また、本発明の実施の形態では、テレビジョン放送信号について説明したが、記録媒体９から読み込んだＭＰＥＧファイルでも実行可能である。
【産業上の利用可能性】
【００３５】
本発明に係る録画装置は、受信したテレビジョン放送信号のうち、映像の切り替わり点をトリガにして同一の重複する映像信号をシーン単位で音声情報を元に検出することができ、記録したテレビジョン放送信号のＣＭ部分の編集作業を自動で行うことができるため、テレビジョン放送信号を受信して、受信したテレビジョン放送信号を記録する録画装置などに有用である。
【図面の簡単な説明】
【００３６】
【図１】本発明の実施の形態に係る録画装置の構成を示す構成図である。
【図２】本発明の実施の形態に係る録画装置における参照フレーム群テーブル及びフレーム群記憶領域を示す図である。
【図３Ａ】本発明の実施の形態に係る録画装置における各ＧＯＰにおけるピクチャ間時間を示す図（ＣＭ区間開始と判定しない場合）である。
【図３Ｂ】本発明の実施の形態に係る録画装置における各ＧＯＰにおけるピクチャ間時間を示す図（ＣＭ区間開始と判定する場合）である。
【図４Ａ】本発明の実施の形態に係る録画装置における各ＧＯＰにおけるピクチャ間時間を示す図（ＣＭ区間終了と判定しない場合）である。
【図４Ｂ】本発明の実施の形態に係る録画装置における各ＧＯＰにおけるピクチャ間時間を示す図（ＣＭ区間終了と判定する場合）である。
【符号の説明】
【００３７】
１  デジタル放送信号受信部（放送信号受信手段）
２  映像区切検出部（映像区切検出手段）
３  逆位相音声生成部（逆位相音声生成手段）
４  情報記憶部（情報記憶手段）
５  重複映像検出部（重複映像検出手段）
６  記録再生制御部
７  記録再生部（記録手段）
８  ＣＰＵ（制御手段）
９  記録媒体
１００  デジタル放送信号
１０１  デジタル映像情報（デジタル映像信号）
１０２  音声情報（音声信号）
１０３  映像フレーム
１０４  音声フレーム情報
１１６  ＰＴＳデータ信号（時間情報）
２００  参照フレーム群テーブル
２０１  １つ目のフレーム群記憶領域
２０２  ｎ番目のフレーム群記憶領域
【図１】
2007082156.tif 000003
【図２】
2007082156.tif 000004
【図３Ａ】
2007082156.tif 000005
【図３Ｂ】
2007082156.tif 000006
【図４Ａ】
2007082156.tif 000007
【図４Ｂ】
2007082156.tif 000008